(57)【要約】【課題】画像読取部の間隙調整を含む、原稿押さえ部材の傾斜調整を、ヒンジ部材のイコライズ量を変化させることなく行うことができる開閉装置を提供する。【解決手段】原稿載置台４１を有する画像読取装置２に、原稿押さえ部材４を開閉自在にかつ昇降自在に支持した開閉装置３において、原稿押さえ部材４に固定された取付部５２ｂと、画像読取装置２に昇降可能に支持され、スライド部５２ａを昇降自在に支持したヒンジ受け部材５１と、画像読取装置２に対するヒンジ受け部材５１の高さ位置を変更するヒンジ高さ調整機構５３とを備えている。【選択図】図３
2014030144.tif 000002
【特許請求の範囲】
【請求項１】
原稿載置台を有する装置本体に、原稿押さえ部材を開閉自在にかつ昇降自在に支持した開閉装置において、
前記原稿押さえ部材に固定された取付部と、
前記装置本体に昇降可能に支持され、前記取付部を昇降自在に支持した受け部材と、
前記装置本体に対する前記受け部材の高さ位置を変更する高さ調整機構と、を備えた、
ことを特徴とする開閉装置。
【請求項２】
前記高さ調整機構は、前記装置本体に設けられた基準面と前記受け部材の底部との間隙に対する進入量を変更することで前記間隙の幅を増減する調整部材を有する、
ことを特徴とする請求項１に記載の開閉装置。
【請求項３】
前記調整部材は、前記進入量を変更操作する操作部を有し、
前記操作部が、前記装置本体の外部に配設されている、
ことを特徴とする請求項２に記載の開閉装置。
【請求項４】
前記原稿押さえ部材は、前記原稿載置台との間に、自動原稿搬送装置から搬送されてきた原稿の画像情報を読み取るライン状の画像読取部を有し、
前記高さ調整機構は、前記画像読取部の長手方向両端部の間隙を調整する、
ことを特徴とする請求項１ないし３のいずれか１項に記載の開閉装置。
【発明の詳細な説明】
【技術分野】
【０００１】
本発明は、原稿載置台を有する装置本体に、原稿押さえ部材を開閉自在にかつ昇降自在に支持した開閉装置に関する。
【背景技術】
【０００２】
プリンタ、複写機等の画像形成装置の画像読取装置において、シート状の薄い原稿、及びブック状の厚い原稿の双方を原稿載置台上に密着させる原稿押さえ部材が知られている（特許文献１参照）。
【０００３】
このものは、原稿押さえ部材の後端側（画像読取装置を使用する際に使用者が立つ正面側から遠い側）の左右の２箇所にそれぞれヒンジ部材を有している。ヒンジ部材は、装置本体における原稿載置台の後端近傍の左右のそれぞれに設けられたヒンジ受け部に上方から挿入されていて、昇降可能に支持されている。また、ヒンジ部材は、ヒンジ軸を基準として、原稿押さえ部材を揺動自在に支持している。
【０００４】
この構成により、原稿積載台上に載置された原稿が、シート状の薄い原稿の場合には、原稿押さえ部材は、原稿押圧時にヒンジ軸を中心に揺動して原稿を押圧する。一方、ブック状の厚い原稿の場合には、原稿の厚さに応じて、ヒンジ部材が上昇した状態で原稿を押圧する。
【０００５】
また、ヒンジ部材の下端近傍には、ストッパが設けてあり、原稿押さえ部材とともにヒンジ部材が持ち上げられたときに、ヒンジ受け部の上端近傍に設けられた当接部に当接することで、ヒンジ部材が不要に抜けることを防止している。ここで、ヒンジ部材が持ちあげられてストッパが当接部にあたるまでの移動距離（ストローク量）をイコライズ量とする。
【０００６】
上述の原稿押さえ部材には、ＡＤＦ（自動原稿搬送装置）が装着されている。自動原稿搬送装置は、原稿を搬送し、その原稿が搬送パスの一部に設定された画像読取部を通過する際に、画像読取装置がその画像情報を読み取る。いわゆる流し読みされる。画像読取部は、原稿載置台の左右方向の一方の端部に、前後方向に長いライン状に設定されている。すなわち、原稿載置台の一部とＡＤＦ側の搬送ローラ等の対向部材との間に前後方向に長い間隙として形成されている。
【先行技術文献】
【特許文献】
【０００７】
【特許文献１】特開２００３−３０２７１５号公報
【発明の概要】
【発明が解決しようとする課題】
【０００８】
上述の、原稿の流し読みに際し、画像読取部の間隙が、長手方向の一方の端部と他方の端部とで異なる場合には、原稿の搬送不良が発生し、その結果、読取不良が発生するおそれがある。
【０００９】
この原稿の搬送不良は、ヒンジ受け部に対するヒンジ部材の高さ位置を調整して、画像読取部の間隙を調整することで解消することができる。
【００１０】
しかしながら、ヒンジ受け部に対して、ヒンジ部材の高さを変更すると、これに伴って、イコライズ量が変化してしまうという問題が発生する。例えば、極端な場合、左右のヒンジ部材のイコライズ量が異なると、厚さの厚いブック原稿を原稿押さえ部材で押圧した場合、原稿押さえ部材が左右方向に傾斜して、ブック原稿を均一に原稿載置台に密着させられなって画像の読取不良が発生するおそれがある。
【００１１】
本発明は、画像読取部の間隙調整を含む、原稿押さえ部材の傾斜調整を、ヒンジ部材のイコライズ量を変化させることなく行うことができる開閉装置を提供することにある。
【課題を解決するための手段】
【００１２】
本発明の開閉装置は、原稿載置台を有する装置本体に、原稿押さえ部材を開閉自在にかつ昇降自在に支持しており、前記原稿押さえ部材に固定された取付部と、前記装置本体に昇降可能に支持され、前記取付部を昇降自在に支持した受け部材と、前記装置本体に対する前記受け部材の高さ位置を変更する高さ調整機構と、を備えた、ことを特徴としている。
【発明の効果】
【００１３】
本発明の開閉装置は、高さ調整機構により、装置本体に対する受け部材の高さ位置を変更し、受け部材を介して開閉装置の高さを変更することができる。これにより、原稿載置台に対する原稿押さえ部材の傾斜調整を行うことができる。
【図面の簡単な説明】
【００１４】
【図１】画像形成装置及び画像読取装置の、シート搬送方向に沿った断面図と、本発明の実施形態における開閉装置の正面図とを組み合わせた図である。
【図２】開閉装置及び画像読取装置を、左右方向に直交しかつヒンジ部材を通る平面で切った断面図である。
【図３】図２における開閉装置の拡大図である。
【図４】（Ａ）はヒンジ受け部材から引き抜いた状態のヒンジ部材を説明する斜視図であり、（Ｂ）は画像読取装置から引き抜いたヒンジ受け部材を説明する斜視図である。
【図５】（Ａ）はブック原稿を原稿載置台に載せて、原稿押さえ部材を閉鎖する途中の状態を示す、図２と同じ断面図であり、（Ｂ）はブック原稿を原稿押さえ部材で押圧した状態を示す、図２と同じ断面図である。
【図６】正常な状態の画像読取部を左から見た図である。
【図７】前端側と後端側とで間隙が異なる画像読取部を左から見た図である。
【発明を実施するための形態】
【００１５】
以下、本発明の実施形態の開閉装置を図面に基づいて説明する。なお、数値は、参考数値であって、本発明を限定する数値ではない。なお、以下では、説明の便宜上、図１，図２の上部に矢印で示す前後左右上下の方向が、画像形成装置、画像読取装置、及び開閉装置の前後左右上下に対応するものとする。他の図面についても同様である。また、「前」とは、これらの装置をユーザが操作する際に立つ側をいう。
【００１６】
図１に示すように、画像形成装置１の上面に画像読取装置（装置本体）２が積載され、さらに画像読取装置２の上面近傍に開閉装置３及び原稿押さえ部材４が配設されている。なお、原稿押さえ部材４は、ＡＤＦ（自動原稿搬送装置）と一体に構成されている。
【００１７】
画像形成装置１は、シート給搬送部１１と、画像形成部１２と、定着部１３と、シート排出部１４と、シート再搬送部１５とを備えている。
【００１８】
シート給搬送部１１において、給紙カセット２１に収納されたシートＰは、ピックアップローラ２２によってシート搬送方向の下流側に向けて給紙され、搬送ローラ２３によって画像形成部１２に供給される。
【００１９】
画像形成部１２においては、矢印方向に回転する感光ドラム２４の表面を帯電装置２５で均一に帯電し、露光装置２６で露光して静電潜像を形成する。この静電潜像を現像装置２７で現像してトナー像を形成し、このトナー像を転写装置２８によってシートＰに転写する。トナー像転写後のシートＰは搬送ベルト２９によって定着部１３に供給される。なお、露光装置２６は、画像読取装置２で読み取った画像情報に基づいてレーザ光をオン・オフ制御して感光ドラム２４表面に静電潜像を形成する。
【００２０】
定着部１３には、定着ローラ３０と加圧ローラ３１とが配設されていて、両者のニップ部において、トナー像転写後のシートＰを挟持搬送しつつ、加熱・加圧してトナー像を定着させる。
【００２１】
シート排出部１４には、排出ローラ３２、排紙トレイ３３が配設されている。トナー像定着後のシートＰは、排出ローラ３２の正回転によって排紙トレイ３３上に排出される。
【００２２】
以上で、１枚のシートＰの一方の面（表面）に対する画像形成が終了する。
【００２３】
シート再搬送部１５は、一方の面に画像形成が終了したシートＰの他方の面にも画像形成する場合に使用される。シート再搬送部１５は、一方の面に画像形成が終了したシートＰを、排出ローラ３２の逆転によって、シート再搬送路３４に導いて、表裏反転した状態で、再搬送ローラ３５により画像形成部１２に再供給する。再供給されたシートＰは、画像形成部１２において裏面にトナー像が転写され、このトナー像が定着部１３で定着された後、排紙トレイ３３に排出される。
【００２４】
以上で、１枚のシートＰの両面（表面及び裏面）に対する画像形成が終了する。
【００２５】
画像読取装置２は、上面に、透明ガラス等で形成された原稿載置台４１を有している。原稿載置台４１における下面側の左端側には、前後方向に長い原稿照射部材４２が配設されている。原稿照射部材４２は、ＡＤＦから搬送されてくる原稿を流し読みする際には、ほぼ図示の位置に配置される。一方、原稿載置台４１上に載置された原稿を固定読みする際には、原稿を照射しながら、右方向に移動するようになっている。流し読み、固定読みのいずれの場合も、原稿からの反射光が、ミラー４３によって反射され、ＣＣＤ等の撮像素子４４で結像されて、原稿の画像情報が読み取られる。この画像情報が、上述の露光装置２６に送信される。
【００２６】
図３，図４に示すように、開閉装置３は、ヒンジ受け部材（受け部材）５１と、ヒンジ部材５２と、ヒンジ高さ調整機構（高さ調整機構）５３とを備えている。なお、開閉装置３は、少なくとも１対、設けることが好ましい。ただし、２個以上であれば、任意の数とすることができる。
【００２７】
ヒンジ受け部材５１は、ほぼ直方体状に形成されている。ヒンジ受け部材５１は、上部に、上方に向けて開口された挿入口５１ａを有している。また、ヒンジ受け部材５１は、後壁５１ｂに、上下方向に延びるガイド溝５１ｃが形成されている。このガイド溝５１ｃの上端には、ストッパ５１ｄが設けられている。ヒンジ受け部材５１全体は、画像読取装置２の原稿載置台４１の後端縁近傍の、左側と右側とに設けられたほぼ直方体状の凹部４５に上方から挿入されている。ヒンジ受け部材５１は、凹部４５に形成されたガイド部材（不図示）によって、昇降可能に支持されている。凹部４５には、底面に相当する基準面４５ａが設けられている。この基準面４５ａとヒンジ受け部材５１の底部５１ｅとは相互に対面していて、これらの間には、間隙Ｓが形成されている。この間隙Ｓには、後述するヒンジ高さ調整機構５３の調整部材５３ａが挿脱されるようになっている。なお、ヒンジ受け部材５１と凹部４５とには、ヒンジ受け部材５１が凹部４５から逃げることを防止するための係合部（不図示）が設けてある。
【００２８】
ヒンジ部材５２は、スライド部５２ａと、取付部５２ｂと、これらを揺動自在に連結するヒンジ軸５２ｃとを有している。
【００２９】
ヒンジ部材５２のスライド部５２ａは、ヒンジ受け部材５１よりも一回り小さいほぼ直方体状に形成されている。ヒンジ部材５２は、ヒンジ受け部材５１の内側に上方から挿入されて、ヒンジ受け部材５１によって昇降自在に支持されている。スライド部５２ａの下端における後側には、後方に向けて爪部５２ｄが突設されている。爪部５２ｄは、ヒンジ受け部材５１のガイド溝５１ｃに係合されていて、ヒンジ部材５２の昇降をガイドする。爪部５２ｄは、ヒンジ受け部材５１に対するヒンジ部材５２の上昇に伴ってガイド溝５１ｃに沿って上昇し、ストッパ５１ｄに当接することで、昇降を停止させる。ここで、爪部５２ｄが図４（Ｂ）に示すホームポジションから上昇して、ストッパ５１ｄに当接するまでのストローク量をイコライズ量Ｈとする。
【００３０】
ヒンジ部材５２の取付部５２ｂは、スライド部５２ａによってヒンジ軸５２ｃを基準に揺動自在に支持（連結）されている。取付部５２ｂは、原稿押さえ部材４の後端に固定されている。これにより、原稿押さえ部材４は、ヒンジ軸５２ｃを基準として、ヒンジ部材５２により揺動自在（開閉自在）に支持される。原稿押さえ部材４は、閉位置に配置された場合には、原稿を原稿載置台４１に押圧し、開位置に配置された場合には、原稿載置台４１の上方を開放して、原稿の取り出し、及びセットを可能にする。
【００３１】
ヒンジ高さ調整機構５３は、図３に示すように、楔状の調整部材５３ａと、ねじ部５３ｂと、操作部５３ｃとを有している。調整部材５３ａは、画像読取装置２の凹部４５の基準面４５ａ上に、前後方向移動可能に配設されている。調整部材５３ａは、先端側（前端側）を基準面４５ａとヒンジ受け部材５１の底部５１ｅとの間の間隙Ｓに挿入させている。
【００３２】
ヒンジ高さ調整機構５３のねじ部５３ｂは、雄ねじによって形成されていて、画像読取装置２のフレーム４６の一部に設けられた雌ねじ部４６ａに螺合されている。また、ねじ部５３ｂは、その先端部（前端部）が、調整部材５３ａの後端面に対し、前後方向移動不能で、回転可能に連結されている。ねじ部５３ｂの後端に、ねじ部５３ｂよりも大きい操作部５３ｃが形成されている。操作部５３ｃは、ユーザが直接、手で回転させるものであり、フレーム４６の外部に配置されている。
【００３３】
ヒンジ高さ調整機構５３は、操作部５３ｃを回転操作（変更操作）することで、調整部材５３ａの進入量を増減する。すなわち、操作部５３ｃを右回り（時計回り）に回転させると、雌ねじ部４６ａに螺合されているねじ部５３ｂが同方向に回転して調整部材５３ａを前方に移動させて、間隙Ｓに対する進入量を増加させる。これにより、ヒンジ受け部材５１を上昇させて、ヒンジ部材５２を上昇させることができる。
【００３４】
一方、ヒンジ高さ調整機構５３は、この逆に、操作部５３ｃを左回り（反時計回り）に回転させると、雌ねじ部４６ａに螺合されているねじ部５３ｂが同方向に回転して調整部材５３ａを後方に移動させて、間隙Ｓに対する進入量を減少させる。これにより、ヒンジ受け部材５１を下降させてヒンジ部材５２を下降させることができる。
【００３５】
このヒンジ部材５２の昇降（ヒンジ高さの変更）に際し、ヒンジ受け部材５１とヒンジ部材５２との上下方向の相対位置関係は変化することがないので、イコライズ量Ｈが変化することはない。
【００３６】
図５，図６，図７を参照して、開閉装置３の動作を説明する。なお、これらの図において、ヒンジ高さ調整機構５３は、便宜的に二点鎖線の３角形で図示している。
【００３７】
図５（Ａ）に示すように、原稿押さえ部材４を開放して、原稿載置台４１にブック原稿Ｂを載せ、その後、原稿押さえ部材４を閉鎖していく。原稿押さえ部材４の下面４ａがブック原稿Ｂの角部Ｂ１に当たり、原稿押さえ部材４は、ここを基準として揺動する。この結果、ヒンジ受け部材５１に対してヒンジ部材５２が上昇する。これにより、原稿押さえ部材４は、その下面４ａを原稿載置台４１とほぼ平行にした状態で、ブック原稿Ｂを原稿載置台４１に押圧することができる。
【００３８】
つづいて、同じく開閉装置３の動作を、ＡＤＦを使用して原稿を流し読みする場合について説明する。
【００３９】
図６に示すように、原稿押さえ部材４の下面４ａには、スペーサ（突き当て部）Ｐ１，Ｐ２が下向きに突設されている。これらは、前後方向に長いライン状の画像読取部Ｒを確保するためのものである。原稿載置台４１には、左端側において、前後方向に長いライン状の画像読取部Ｒが形成されている。スペーサＰ１，Ｐ２は、原稿載置台４１における、画像読取部Ｒの長手方向両端部の近傍に当接されている。この当接により、画像読取部Ｒは、隙間Ｇが前端側の隙間Ｇ１と後端側の隙間Ｇ２とが同じになって、原稿の搬送不良、読取不良を防止するようにしている。
【００４０】
ところで、原稿押さえ部材４は、部品の加工精度や組立精度により、図７に示すように、例えば、一方のスペーサＰ１が原稿載置台４１に当接しないで、画像読取部Ｒの間隙が均一にならない場合がある。
【００４１】
このような場合、一対のヒンジ高さ調整機構５３のうちの少なくとも一方を調整して、ヒンジ部材５２の高さを調整し、これにより、原稿載置台４１から浮き上がっていたスペーサＰ１を原稿載置台４１に当接させることができる。
【００４２】
例えば、画像読取部Ｒに近い側のヒンジ高さ調整機構５３の操作部５３ｃを右回りに回転させて、調整部材５３ａを前進させ、これによりヒンジ受け部材５１を上昇させて、ヒンジ部材５２を上昇させる。あるいは、右側のヒンジ高さ調整機構５３を同様に操作して、右側のヒンジ部材５２を上昇させる。あるいは、一対のヒンジ高さ調整機構５３の双方を適宜に操作することで、スペーサＰ１を原稿載置台４１に当接させて、画像読取部Ｒの隙間Ｇを前端側の隙間Ｇ１と後端側の隙間Ｇ２とで同じにして、全体の隙間Ｇを一定（均一）に保つことができる。
【００４３】
以上説明した開閉装置３において、ヒンジ高さ調整機構５３は、上述のものに限定される物ではなく、他の任意の機構を採用することができる。例えば、ヒンジ受け部材５１の底部５１ｅの下方に、上向きに調整ねじを配設し、これを画像読取装置２の雌ねじ部に螺合させ、右回転させることにより、先端で底部５１ｅを押し上げるようにしてもよい。
【００４４】
以上説明した開閉装置３によれば、以下のような作用効果を奏する。
【００４５】
原稿押さえ部材４がＡＤＦと一体に形成されている場合には、ヒンジ高さ調整機構５３の操作により、画像読取部Ｒの間隙を均一にすることができる。これにより、流し読み時の原稿の搬送不良を防止して、画像読取不良を防止することができる。
【００４６】
ヒンジ高さ調整機構５３の操作によって、ヒンジ部材５２の高さ位置を調整した場合でも、ヒンジ受け部材５１とヒンジ部材５２との上下方向（高さ方向）の相対位置関係は変化しないので、イコライズ量Ｈが変化することがない。したがって、例えば、左側のヒンジ部材５２と右側のヒンジ部材５２のイコライズ量が異なることに起因するブック原稿Ｂの押圧不良を防止して、読取不良を防止することができる。
【００４７】
ヒンジ高さ調整機構５３は、操作部５３ｃが画像読取装置２のフレーム４６の外側に露出された状態で配設されているので、カバー等を取り外すことなく簡単に操作することができる。また、原稿押さえ部材４を閉じたままで、操作部５３ｃを操作して、画像読取部Ｒの隙間Ｇを調整することができるので、作業が極めて簡単である。
【符号の説明】
【００４８】
Ｇ…間隙、Ｈ…イコライズ量、Ｐ…シート、Ｒ…画像読取部、２…画像読取装置（装置本体）、３…開閉装置、４…原稿押さえ部材、４５ａ…基準面、５１…ヒンジ受け部材（受け部材）、５１ｅ…底部、５２…ヒンジ部材、５２ａ…スライド部、５２ｂ…取付部、５２ｃ…ヒンジ部、５３…ヒンジ高さ調整機構（高さ調整機構）、５３ａ…調整部材、５３ｃ…操作部
【図１】
2014030144.tif 000003
【図２】
2014030144.tif 000004
【図３】
2014030144.tif 000005
【図４】
2014030144.tif 000006
【図５】
2014030144.tif 000007
【図６】
2014030144.tif 000008
【図７】
2014030144.tif 000009